【手続補正書】
【提出日】平成18年5月17日(2006.5.17)
【手続補正１】
【補正対象書類名】明細書
【補正対象項目名】特許請求の範囲
【補正方法】変更
【補正の内容】
【特許請求の範囲】
【請求項１】  情報処理装置から入力される印刷ジョブを記憶装置に記憶し、前記記憶装置に記憶された印刷ジョブに基づく印刷を制御する印刷制御装置であって、
前記記憶装置に記憶される印刷ジョブの数と、前記記憶装置に記憶される印刷ジョブに関するジョブ情報を管理するジョブ管理手段と、
前記ジョブ管理手段に管理されているジョブ情報または印刷ジョブの数を情報処理装置からの取得要求に基づいて送信する送信手段と、
を有し、
前記記憶装置に記憶される印刷ジョブに基づく印刷は、当該印刷ジョブを入力した後の印刷指定に従って行われることを特徴とする印刷制御装置。
【請求項２】  情報処理装置から入力される印刷ジョブを記憶装置に記憶し、前記記憶装置に記憶された印刷ジョブに基づく印刷を制御する印刷制御装置であって、
前記記憶装置に記憶される印刷ジョブの数と、前記記憶装置に記憶される印刷ジョブに関するジョブ情報を管理するジョブ管理手段と、
前記記憶装置に記憶される印刷ジョブの数を情報処理装置に送信する送信手段と、
情報処理装置からの取得要求に基づいて、前記記憶装置に記憶される印刷ジョブに関するジョブ情報を情報処理装置に送信するジョブ情報送信手段とを有し、
前記記憶装置に記憶される印刷ジョブに基づく印刷は、当該印刷ジョブを入力した後の印刷指定に従って行われることを特徴とする印刷制御装置。
【請求項３】  前記情報処理装置は、前記記憶装置に記憶される印刷ジョブの数が変化したかを判断し、前記記憶装置に記憶される印刷ジョブの数が変化したと判断された場合、前記取得要求を前記印刷制御装置に送信することを特徴とする請求項２に記載の印刷制御装置。
【請求項４】  前記送信手段は、情報処理装置からの取得要求に基づいて、前記記憶装置に記憶される印刷ジョブに関するジョブ情報を情報処理装置に送信することを特徴とする請求項２或いは３記載の印刷制御装置。
【請求項５】  前記ジョブ情報は、前記記憶装置に記憶される印刷ジョブのジョブ名を示す情報、または前記記憶装置に記憶される印刷ジョブのオーナ名を示す情報であることを特徴とする請求項２乃至４のいずれかに記載の印刷制御装置。
【請求項６】  印刷ジョブを印刷装置に転送可能な情報処理装置であって、
前記印刷装置に記憶されている印刷ジョブの数を取得する第１の取得手段と、
前記印刷装置に記憶されている印刷ジョブに関するジョブ情報を取得する第２の取得手段と、
前記第２の取得手段により取得されたジョブ情報の一覧を表示する表示手段と、
前記第１の取得手段により取得される印刷ジョブの数が変化したかを判定する判定手段と、
前記判定手段により印刷ジョブの数が変化したと判定した場合に、前記第２の取得手段にジョブ情報を取得させて前記表示手段にジョブ情報の一覧を表示させる制御手段とを有し、
前記印刷装置は、前記印刷装置に記憶されている印刷ジョブに基づく印刷を、当該印刷ジョブを入力した後の印刷指定に従って行うことを特徴とする情報処理装置。
【請求項７】  前記判定手段は、設定される時間間隔で前記第１の取得手段により取得される印刷ジョブの数が変化したかを判定することを特徴とする請求項６記載の情報処理装置。
【請求項８】  印刷ジョブを印刷装置に転送可能な情報処理装置であって、
前記印刷装置に記憶されている印刷ジョブの数を取得する第１の取得手段と、
前記印刷装置に記憶されている印刷ジョブに関するジョブ情報を取得する第２の取得手段と、
前記第２の取得手段により取得されたジョブ情報に基づいて、前記印刷装置に記憶されている印刷ジョブの一覧を表示する表示手段とを有し、
前記第２の取得手段は、前記第１の取得手段により取得される印刷ジョブの数が変化した場合、前記印刷装置に記憶されている印刷ジョブに関するジョブ情報を取得し、
前記印刷装置は、前記印刷装置に記憶されている印刷ジョブに基づく印刷を、当該印刷ジョブを入力した後の印刷指定に従って行うことを特徴とする情報処理装置。
【請求項９】  前記第１の取得手段は、所定の間隔で、前記印刷装置に記憶されている印刷ジョブの数を取得することを特徴とする請求項８記載の情報処理装置。
【請求項１０】  情報処理装置から入力される印刷ジョブを記憶装置に記憶し、前記記憶装置に記憶された印刷ジョブに基づく印刷を制御する印刷制御装置における印刷制御方法であって、
前記記憶装置に記憶される印刷ジョブの数を計数する計数工程と、
前記記憶装置に記憶される印刷ジョブに関するジョブ情報を管理するジョブ管理工程と、
前記ジョブ管理工程で管理されているジョブ情報または前記計数工程で計数されている印刷ジョブの数を情報処理装置からの取得要求に基づいて送信する送信工程とを有し、
前記記憶装置に記憶される印刷ジョブに基づく印刷は、当該印刷ジョブを入力した後の印刷指定に従って行われることを特徴とする印刷制御方法。
【請求項１１】  情報処理装置から入力される印刷ジョブを記憶装置に記憶し、前記記憶装置に記憶された印刷ジョブに基づく印刷を制御する印刷制御装置における印刷制御方法であって、
前記記憶装置に記憶される印刷ジョブの数を計数する計数工程と、
前記記憶装置に記憶される印刷ジョブの数を情報処理装置に送信する送信工程と、
情報処理装置からの取得要求に基づいて、前記記憶装置に記憶される印刷ジョブに関するジョブ情報を情報処理装置に送信するジョブ情報送信工程とを有し、
前記記憶装置に記憶される印刷ジョブに基づく印刷は、当該印刷ジョブを入力した後の印刷指定に従って行われることを特徴とする印刷制御方法。
【請求項１２】  印刷ジョブを印刷装置に転送可能な情報処理装置における情報処理方法であって、
前記印刷装置に記憶されている印刷ジョブの数を取得する第１の取得工程と、
前記印刷装置に記憶されている印刷ジョブに関するジョブ情報を取得する第２の取得工程と、
前記第２の取得工程で取得されたジョブ情報の一覧を表示装置に表示する表示工程と、
前記第１の取得工程により取得される印刷ジョブの数が変化したかを判定する判定工程と、
前記判定工程により印刷ジョブの数が変化したと判定した場合に、前記第２の取得工程によりジョブ情報を取得させて前記表示工程により前記表示装置にジョブ情報の一覧を表示させる制御工程とを有し、
前記印刷装置は、前記印刷装置に記憶されている印刷ジョブに基づく印刷を、当該印刷ジョブを入力した後の印刷指定に従って行うことを特徴とする情報処理方法。
【請求項１３】  印刷ジョブを印刷装置に転送可能な情報処理装置における情報処理方法であって、
前記印刷装置に記憶されている印刷ジョブの数を取得する第１の取得工程と、
前記印刷装置に記憶されている印刷ジョブに関するジョブ情報を取得する第２の取得工程と、
前記第２の取得工程で取得されたジョブ情報に基づいて、前記印刷装置に記憶されている印刷ジョブの一覧を表示装置に表示する表示工程とを有し、
前記第２の取得工程は、前記第１の取得工程で取得される印刷ジョブの数が変化した場合、前記印刷装置に記憶されている印刷ジョブに関するジョブ情報を取得し、
前記印刷装置は、前記印刷装置に記憶されている印刷ジョブに基づく印刷を、当該印刷ジョブを入力した後の印刷指定に従って行うことを特徴とする情報処理方法。
【請求項１４】  印刷ジョブを印刷装置に転送可能な情報処理装置を制御するコンピュータが読み出し可能なプログラムを格納した記憶媒体であって、
前記印刷装置に記憶されている印刷ジョブの数を取得する第１の取得工程と、
前記印刷装置に記憶されている印刷ジョブに関するジョブ情報を取得する第２の取得工程と、
前記第２の取得工程で取得されたジョブ情報の一覧を表示装置に表示する表示工程と、
前記第１の取得工程により取得される印刷ジョブの数が変化したかを判定する判定工程と、
前記判定工程により印刷ジョブの数が変化したと判定した場合に、前記第２の取得工程によりジョブ情報を取得させて前記表示工程により前記表示装置にジョブ情報の一覧を表示させる制御工程とを有し、
前記印刷装置は、前記印刷装置に記憶されている印刷ジョブに基づく印刷を、当該印刷ジョブを入力した後の印刷指定に従って行うことを特徴とするコンピュータが読み出し可能なプログラムを格納した記憶媒体。
【請求項１５】  印刷ジョブを印刷装置に転送可能な情報処理装置を制御するコンピュータが読み出し可能なプログラムを格納した記憶媒体であって、
前記印刷装置に記憶されている印刷ジョブの数を取得する第１の取得工程と、
前記印刷装置に記憶されている印刷ジョブに関するジョブ情報を取得する第２の取得工程と、
前記第２の取得工程で取得されたジョブ情報に基づいて、前記印刷装置に記憶されている印刷ジョブの一覧を表示装置に表示する表示工程とを有し、
前記第２の取得工程は、前記第１の取得工程で取得される印刷ジョブの数が変化した場合、前記印刷装置に記憶されている印刷ジョブに関するジョブ情報を取得し、
前記印刷装置は、前記印刷装置に記憶されている印刷ジョブに基づく印刷を、当該印刷ジョブを入力した後の印刷指定に従って行うことを特徴とするコンピュータが読み出し可能なプログラムを格納した記憶媒体。
【手続補正２】
【補正対象書類名】明細書
【補正対象項目名】０００６
【補正方法】変更
【補正の内容】
【０００６】
本発明は、上記の問題点を解決するためになされたもので、本発明の目的は、印刷ジョブに基づく印刷を印刷ジョブを入力した後の印刷指定に従って行う印刷制御装置が、印刷ジョブの数と印刷ジョブに関するジョブ情報とを情報処理装置に送信することにより、或いは情報処理装置が、印刷ジョブに基づく印刷を印刷ジョブを入力した後の印刷指定に従って行う印刷装置に対して、印刷装置に記憶されている印刷ジョブの数が変化する場合に、印刷ジョブに関するジョブ情報を取得することにより、ジョブ情報の取得に伴うトラフィックの発生を抑制して、データ転送処理効率の低下を回避できる仕組みを提供することである。
【手続補正３】
【補正対象書類名】明細書
【補正対象項目名】０００７
【補正方法】変更
【補正の内容】
【０００７】
【課題を解決するための手段】
本発明に係る印刷制御装置は、以下の特徴的構成を備える。
情報処理装置から入力される印刷ジョブを記憶装置に記憶し、前記記憶装置に記憶された印刷ジョブに基づく印刷を制御する印刷制御装置であって、前記記憶装置に記憶される印刷ジョブの数と、前記記憶装置に記憶される印刷ジョブに関するジョブ情報を管理するジョブ管理手段と、前記ジョブ管理手段に管理されているジョブ情報または印刷ジョブの数を情報処理装置からの取得要求に基づいて送信する送信手段と、
を有し、前記記憶装置に記憶される印刷ジョブに基づく印刷は、当該印刷ジョブを入力した後の印刷指定に従って行われることを特徴とする。
また、情報処理装置から入力される印刷ジョブを記憶装置に記憶し、前記記憶装置に記憶された印刷ジョブに基づく印刷を制御する印刷制御装置であって、前記記憶装置に記憶される印刷ジョブの数と、前記記憶装置に記憶される印刷ジョブに関するジョブ情報を管理するジョブ管理手段と、前記記憶装置に記憶される印刷ジョブの数を情報処理装置に送信する送信手段と、情報処理装置からの取得要求に基づいて、前記記憶装置に記憶される印刷ジョブに関するジョブ情報を情報処理装置に送信するジョブ情報送信手段とを有し、前記記憶装置に記憶される印刷ジョブに基づく印刷は、当該印刷ジョブを入力した後の印刷指定に従って行われることを特徴とする。
【手続補正４】
【補正対象書類名】明細書
【補正対象項目名】０００８
【補正方法】変更
【補正の内容】
【０００８】
本発明に係る情報処理装置は、以下の特徴的構成を備える。
印刷ジョブを印刷装置に転送可能な情報処理装置であって、前記印刷装置に記憶されている印刷ジョブの数を取得する第１の取得手段と、前記印刷装置に記憶されている印刷ジョブに関するジョブ情報を取得する第２の取得手段と、前記第２の取得手段により取得されたジョブ情報の一覧を表示する表示手段と、前記第１の取得手段により取得される印刷ジョブの数が変化したかを判定する判定手段と、前記判定手段により印刷ジョブの数が変化したと判定した場合に、前記第２の取得手段にジョブ情報を取得させて前記表示手段にジョブ情報の一覧を表示させる制御手段とを有し、前記印刷装置は、前記印刷装置に記憶されている印刷ジョブに基づく印刷を、当該印刷ジョブを入力した後の印刷指定に従って行うことを特徴とする。
また、印刷ジョブを印刷装置に転送可能な情報処理装置であって、前記印刷装置に記憶されている印刷ジョブの数を取得する第１の取得手段と、前記印刷装置に記憶されている印刷ジョブに関するジョブ情報を取得する第２の取得手段と、前記第２の取得手段により取得されたジョブ情報に基づいて、前記印刷装置に記憶されている印刷ジョブの一覧を表示する表示手段とを有し、前記第２の取得手段は、前記第１の取得手段により取得される印刷ジョブの数が変化した場合、前記印刷装置に記憶されている印刷ジョブに関するジョブ情報を取得し、前記印刷装置は、前記印刷装置に記憶されている印刷ジョブに基づく印刷を、当該印刷ジョブを入力した後の印刷指定に従って行うことを特徴とする。
【手続補正５】
【補正対象書類名】明細書
【補正対象項目名】０００９
【補正方法】変更
【補正の内容】
【０００９】
本発明に係る印刷制御方法は、以下の特徴的構成を備える。
情報処理装置から入力される印刷ジョブを記憶装置に記憶し、前記記憶装置に記憶された印刷ジョブに基づく印刷を制御する印刷制御装置における印刷制御方法であって、前記記憶装置に記憶される印刷ジョブの数を計数する計数工程と、前記記憶装置に記憶される印刷ジョブに関するジョブ情報を管理するジョブ管理工程と、前記ジョブ管理工程で管理されているジョブ情報または前記計数工程で計数されている印刷ジョブの数を情報処理装置からの取得要求に基づいて送信する送信工程とを有し、前記記憶装置に記憶される印刷ジョブに基づく印刷は、当該印刷ジョブを入力した後の印刷指定に従って行われることを特徴とする。
また、情報処理装置から入力される印刷ジョブを記憶装置に記憶し、前記記憶装置に記憶された印刷ジョブに基づく印刷を制御する印刷制御装置における印刷制御方法であって、前記記憶装置に記憶される印刷ジョブの数を計数する計数工程と、前記記憶装置に記憶される印刷ジョブの数を情報処理装置に送信する送信工程と、情報処理装置からの取得要求に基づいて、前記記憶装置に記憶される印刷ジョブに関するジョブ情報を情報処理装置に送信するジョブ情報送信工程とを有し、前記記憶装置に記憶される印刷ジョブに基づく印刷は、当該印刷ジョブを入力した後の印刷指定に従って行われることを特徴とする。
【手続補正６】
【補正対象書類名】明細書
【補正対象項目名】００１０
【補正方法】変更
【補正の内容】
【００１０】
本発明に係る情報処理方法は、以下の特徴的構成を備える。
印刷ジョブを印刷装置に転送可能な情報処理装置における情報処理方法であって、前記印刷装置に記憶されている印刷ジョブの数を取得する第１の取得工程と、前記印刷装置に記憶されている印刷ジョブに関するジョブ情報を取得する第２の取得工程と、前記第２の取得工程で取得されたジョブ情報の一覧を表示装置に表示する表示工程と、前記第１の取得工程により取得される印刷ジョブの数が変化したかを判定する判定工程と、前記判定工程により印刷ジョブの数が変化したと判定した場合に、前記第２の取得工程によりジョブ情報を取得させて前記表示工程により前記表示装置にジョブ情報の一覧を表示させる制御工程とを有し、前記印刷装置は、前記印刷装置に記憶されている印刷ジョブに基づく印刷を、当該印刷ジョブを入力した後の印刷指定に従って行うことを特徴とする。
また、印刷ジョブを印刷装置に転送可能な情報処理装置における情報処理方法であって、前記印刷装置に記憶されている印刷ジョブの数を取得する第１の取得工程と、前記印刷装置に記憶されている印刷ジョブに関するジョブ情報を取得する第２の取得工程と、前記第２の取得工程で取得されたジョブ情報に基づいて、前記印刷装置に記憶されている印刷ジョブの一覧を表示装置に表示する表示工程とを有し、前記第２の取得工程は、前記第１の取得工程で取得される印刷ジョブの数が変化した場合、前記印刷装置に記憶されている印刷ジョブに関するジョブ情報を取得し、前記印刷装置は、前記印刷装置に記憶されている印刷ジョブに基づく印刷を、当該印刷ジョブを入力した後の印刷指定に従って行うことを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００９３
【補正方法】変更
【補正の内容】
【００９３】
【発明の効果】
以上説明したように、本発明によれば、印刷ジョブに基づく印刷を印刷ジョブを入力した後の印刷指定に従って行う印刷制御装置が、印刷ジョブの数と印刷ジョブに関するジョブ情報とを情報処理装置に送信することにより、或いは情報処理装置が、印刷ジョブに基づく印刷を印刷ジョブを入力した後の印刷指定に従って行う印刷装置に対して、印刷装置に記憶されている印刷ジョブの数が変化する場合に、印刷ジョブに関するジョブ情報を取得することにより、ジョブ情報の取得に伴うトラフィックの発生を抑制して、データ転送処理効率の低下を回避できる。